(57)【要約】      （修正有）【課題】異なった種類の認証装置に使用されるカードを認証対象に加えることにより電気錠システムの使い勝手を高める。【解決手段】第１の電気錠２Ａ以外の認証装置２Ｂにより認証されるＩＤコードが格納されるとともに、選択的に呼出可能な２次ＩＤコード格納領域４を備えた第２ＩＣカード３Ｂと、第２ＩＣカード３Ｂの２次ＩＤコード格納領域４に２次ＩＤコードを書き込むとともに、第２ＩＣカード３Ｂにおける２次ＩＤコードの特定情報、および２次ＩＤコードの呼出情報を中間カード５に書き込むカードリーダ６とを有し、第１の電気錠２Ａには、中間カード５から読み取った２次ＩＤコードと呼出情報とを格納する予備ＩＤ格納部７が設けられ、予備ＩＤ格納部７内の呼出情報に基づいて第２ＩＣカード３Ｂから取得した２次ＩＤコードを使用した第１の電気錠２Ａによる認証を可能にする。【選択図】図１
2008297755.tif 000002
【特許請求の範囲】
【請求項１】
認証部でのＩＤコードへの認証成立を条件に解錠動作される第１の電気錠と、
前記第１の電気錠からのＩＤ呼出要求に基づいてＩＤコードを出力する第１ＩＣカードと、
前記第１の電気錠以外の認証装置により認証されるＩＤコードが格納されるとともに、選択的に呼出可能な２次ＩＤコード格納領域を備えた第２ＩＣカードと、
前記第２ＩＣカードの２次ＩＤコード格納領域に２次ＩＤコードを書き込むとともに、該第２ＩＣカードにおける２次ＩＤコードの特定情報、および該２次ＩＤコードの呼出情報を中間カードに書き込むカードリーダとを有し、
かつ、前記第１の電気錠には、前記中間カードから読み取った２次ＩＤコードと呼出情報とを格納する予備ＩＤ格納部が設けられ、
前記予備ＩＤ格納部内の呼出情報に基づいて第２ＩＣカードから取得した２次ＩＤコードを使用した第１の電気錠による認証を可能にした電気錠システム。
【請求項２】
前記第１ＩＣカードが、第１の電気錠から出力されるポーリング応答要求に対し、該ポーリング応答要求に含まれる応答群コードの自局に登録された応答群コードとの一致を条件に応答してＩＤコードを出力する非接触型ＩＣカードであるとともに、
前記第２ＩＣカードは、前記応答群コードと異なる応答群コードを伴ったポーリング応答要求を行う前記認証装置により認証されるＩＤコードを格納した非接触型ＩＣカードであり、
前記予備ＩＤ格納部には、前記２次ＩＤコード、および呼出情報に加えて前記認証装置が使用する応答群コードが格納される請求項１記載の電気錠システム。
【請求項３】
応答群コードを伴うポーリング応答要求を出力する第１の電気錠と、
応答群コードの一致を条件に前記ポーリング応答要求に対して応答してＩＤコードを出力する第１ＩＣカードと、
前記応答群コードと異なる応答群コードを伴ったポーリング応答要求を行う認証装置により認証されるＩＤコードが格納されるとともに、選択的に呼出可能な２次ＩＤコード格納領域を備えた第２ＩＣカードと、
前記第２ＩＣカードに２次ＩＤコードを書き込むとともに、該第２ＩＣカードの応答群コード、前記２次ＩＤコードの特定情報、および該２次ＩＤコードの呼出情報とを中間カードに書き込むカードリーダとを有し、
前記第１の電気錠には、前記中間カードから読み取った２次ＩＤコードを呼出情報、および第２ＩＣカードの応答群コードとともに格納する予備ＩＤ格納部が設けられ、
ポーリング応答要求工程に前記認証装置が使用する応答群コードと呼出情報を伴ったポーリング応答要求を加えることにより、第２ＩＣカードに対する認証を第１の電気錠により行う電気錠システム。
【請求項４】
前記中間カードに格納される２次ＩＤコードの特定情報が、第２ＩＣカードにおける２次ＩＤコードの格納アドレスである請求項１、２または３記載の電気錠システム。
【発明の詳細な説明】
【技術分野】
【０００１】
本発明は、電気錠システムに関するものである。
【背景技術】
【０００２】
認証可能カードの設定を容易にした電気錠システムとしては、特許文献１に記載のものが知られている。この従来例は、固有のＩＤコードが書き込まれたカードキーへのカードリーダ制御部における認証成立を条件に第１の電気錠を解錠するゲート装置に関するもので、認証可能なＩＤコードのカードリーダ制御部への登録は、カードキー以外の第２の媒体に記述されたデータの読み込みにより行われる。
【特許文献１】特開平８-２８４５０２号公報
【発明の開示】
【発明が解決しようとする課題】
【０００３】
しかし、上述した従来例において、カードリーダ制御部は、カードキーの予め定められたアドレスに記述されているＩＤコードを読み出して認証を行うために、利用可能なカードは、ＩＤコードの書込アドレスが同一のカード類に限定される。この結果、利用者は通過するカードリーダ制御部の種類に相当する枚数のカードを持ち歩く必要があり、使い勝手が悪いという欠点がある。
【０００４】
本発明は、以上の欠点を解消すべくなされたものであって、異なった種類の認証装置に使用されるカードを認証対象に加えることにより使い勝手を高めた電気錠システムの提供を目的とする。
【課題を解決するための手段】
【０００５】
一般に電気錠システムは、電気錠２と、この電気錠２による認証動作が可能なＩＣカード３とを有して構成され、電気錠２とＩＣカード３との認証動作は、電気錠２からのＩＤ呼出要求に基づいてＩＣカード３から出力されるＩＤコードと、予め登録されたＩＤ格納部８内のＩＤコードとの一致を確認することにより行われ、認証が成立すると、電気錠２の解錠動作、さらに、設定されている場合には施錠動作が行われる。
【０００６】
電気錠２へのＩＣカード３の登録は、ＩＣカード３内のＩＤコードをＩＤ格納部８に読み込んで行われるが、当該電気錠２での他の電気錠等で使用されるＩＣカード３（第２ＩＣカード３Ｂ）の読み込みは、物理的、および通信プロトコル等が一致してアクセス可能であっても、ＩＤコードへのアクセスが許容される保障はない。この結果、上記第１の電気錠２Ａ以外の電気錠等で使用される認証装置２Ｂに対応した第２ＩＣカード３Ｂを電気錠２（第１の電気錠２Ａ）の認証手段として利用することはできないために、例えば、社員証として使用されている第２ＩＣカード３Ｂを自宅の玄関用電気錠（第１の電気錠２Ａ）の認証に使用することはできず、２枚のＩＣカード３Ａ、３Ｂを所持する必要が生じる。
【０００７】
ここで、認証装置２Ｂは第１の電気錠２Ａ以外の電気錠に使用される認証装置に加え、例えば、パーソナルコンピュータへのアクセス権の存否を確認するための認証装置等、ＩＣカード３の所持により権限所有者の同一性を確認するための電子的装置の全般を含み、電気錠２にはゲート装置等が含まれる。
【０００８】
本発明は、上記不具合を、第２ＩＣカード３Ｂに書き込まれた新たなＩＤコード（２次ＩＤコード）を認証部１において認証させることにより解消するもので、第２ＩＣカード３Ｂには、書込可能で、かつ、選択的にアクセス可能なメモリ領域が設定されたものが使用される。カードリーダ６は、このメモリ領域（２次ＩＤコード格納領域４）に適宜の２次ＩＤコードを書き込むとともに、中間カード５に第２ＩＣカード３Ｂにおける２次ＩＤコードの特定情報と、２次ＩＤコードの呼出情報を書き出す。
【０００９】
２次ＩＤコードの特定情報は、２次ＩＤコードそのものでなくとも、例えば、２次ＩＤコードが書き込まれている第２ＩＣカード３Ｂ内のアドレスであってもよい。２次ＩＤコードの特定情報としてアドレス情報を使用すると、中間カード５だけでは意味のない情報であるために、中間カード５の紛失によるＩＤコードの漏洩等を確実に防止できる。
【００１０】
２次ＩＤコードの呼出情報は、第１ＩＣカード３Ａに特定領域の格納値の読み出し、出力のためのルーチンコール用コードが用意されている場合には、このコードが使用でき、また、アドレスを指定したメモリ内容の呼出、出力用の公開ルーチンが設定されている場合には、上記アドレス情報を使用することができる。錠装置の認証可能カードに複数枚の第２ＩＣカード３Ｂを追加する場合、上記呼出情報は全ての第２ＩＣカード３Ｂで共通なものが使用される。
【００１１】
第１の電気錠２Ａには、上記中間カード５から読み込んだ２次ＩＤコードと呼出情報とを格納する予備ＩＤ格納部７が設けられており、この予備ＩＤ格納部７に２次ＩＤコード等が格納された後、認証部１は、呼出情報とともに２次ＩＤコードの呼出要求を行うことにより、第２ＩＣカード３Ｂへの認証動作が可能になる。
【００１２】
したがってこの発明において、認証対象でない第２ＩＣカード３Ｂを第１の電気錠２Ａの認証対象に加えることができる。また、第２ＩＣカード３Ｂの第１の電気錠２Ａでの認証には、第１の電気錠２Ａ以外の認証装置２Ｂとの認証に使用していたＩＤコードを使用しないために、ＩＤコードの読み取り等が不要な上に、システム等の大がかりな変更なしに簡単に第２ＩＣカード３Ｂを認証対象に追加することができる。
【００１３】
上記第１ＩＣカード３Ａ、第２ＩＣカード３Ｂ、および中間カード５には、接触型ＩＣカードに加え非接触型ＩＣカードを使用することができる。一般に非接触型ＩＣカードを使用する場合、電気錠２は、不特定多数のＩＣカード３に対してポーリング応答要求を出力し、ポーリング応答要求に応答してきたＩＣカード３に対する認証が行われる。
【００１４】
電気錠２からのポーリング応答要求に対して物理的に応答可能な全てのＩＣカード３からの応答があると信号衝突防止手段等が複雑になるために、応答群コードを設定することによりポーリング応答要求に対して応答するＩＣカード３に制限を与える。応答群コードは、電気錠２の種類、形式等により決定されて電気錠２、およびこの電気錠種等に使用が予定されるＩＣカード３に格納される。電気錠２からのポーリング応答要求は、応答群コードを明示して行われ、ＩＣカード３は、自局の応答群コードが一致する場合にのみポーリング応答データを出力する。
【００１５】
本発明において、第１の電気錠２Ａには、カードリーダ６により書込まれた第２ＩＣカード３Ｂの２次ＩＤコード、および該２次ＩＤコードの呼出情報に加え、第１の電気錠２Ａ以外の認証装置２Ｂが使用する応答群コードが中間カード５を介して読み込まれて予備ＩＤ格納部７に格納される。以後、第１の電気錠２Ａは、本来の応答群コードが記憶されているＩＤ格納部８の内容によるポーリング応答要求に加え、予備ＩＤ格納部７の内容によるポーリング応答要求を加えることにより、第２ＩＣカード３Ｂを認証対象として認識することができる。
【発明の効果】
【００１６】
本発明によれば、異なった種類の認証装置に使用されるカードを認証対象に加えることができるために、使い勝手を向上させることができる。
【発明を実施するための最良の形態】
【００１７】
図１に示すように、電気錠２システムは、第１の電気錠２Ａと、この第１の電気錠２Ａに対する認証を行うために使用される適数の第１ＩＣカード３Ａと、第１の電気錠２Ａ以外の第２の電気錠（第１の電気錠２Ａ以外の認証装置２Ｂ）に対する認証を行うために使用される適数の第２ＩＣカード３Ｂとを有する。
【００１８】
上記第１の電気錠２Ａは、図２に示すように、図外のＲＯＭに格納されたプログラムに従って動作するＣＰＵ９ａと、ＣＰＵ９ａにより制御される送受信部９ｂ、送信データ生成部９ｃ、認証部１、錠制御部９ｄを有する。上記第１、第２ＩＣカード３Ａ、３Ｂと第１の電気錠２Ａとの交信は、第１の電気錠２Ａから発信されるポーリング応答要求に対して第１、第２ＩＣカード３Ａ、３Ｂがポーリング応答して行われ、ポーリング用データは、送信データ生成部９ｃにより生成されて送受信部９ｂに接続されるアンテナ９ｅから出力される。また、第１、第２ＩＣカード３Ａ、３Ｂからのポーリング応答は送受信部９ｂにおいて受信される。
【００１９】
ポーリング応答要求は、まず、不特定多数の第１、第２ＩＣカード３Ａ、３Ｂに対して行われた後、相手を特定して行われ、最初のポーリング応答要求の出力は、第１の電気錠２Ａに配置されるリクエストスイッチ１０の押下をＣＰＵ９ａが検出することから開始される。
【００２０】
さらに、第１の電気錠２Ａには、ＩＤ格納部８と予備ＩＤ格納部７とが設けられる。ＩＤ格納部８には、応答群コード（ＣＯＤＥ1）と、第１ＩＣカード３ＡのＩＤコード（ＩＤ1x）と、このＩＤコードの第１ＩＣカード３Ａ中の格納アドレス（ＡＤＲ1）とが記憶され、アドレスが第１ＩＣカード３ＡからのＩＤコード（ＩＤ1x）の呼出情報として使用される。
【００２１】
ＩＤ格納部８には、第１の電気錠２Ａにより認証可能な第１ＩＣカード３Ａの数に等しいＩＤコードが登録され、図２には、ＩＤ11からＩＤ1nまでのｎ個のＩＤコード、すなわち、ｎ枚の第１ＩＣカード３Ａが登録されていることを示す。図２においてアドレス（ＡＤＲ1）は全てのＩＤコード（ＩＤ1x）に対して共通していることからも解るように、第１ＩＣカード３ＡにおけるＩＤコード（ＩＤ1x）の格納アドレスは全カード３にわたって共通とされる。
【００２２】
ＩＤ格納部８内の応答群コード（ＣＯＤＥx）は、最初のポーリング応答要求に対してポーリング応答するＩＣカード３を制限し、ＩＤコードのバッティング防止、あるいはアンチコリジョン処理を簡素化するために設定される。この応答群コード（ＣＯＤＥx）は、各ＩＣカード３内にも格納されており、電気錠２からの最初のポーリング応答要求に加えられる。ポーリング応答要求を受けたＩＣカード３は、後述する電力生成部１１ａによりスタートアップした後、自局の応答群コード（ＣＯＤＥx）を確認し、同一の場合にのみポーリング応答を行う。
【００２３】
これを図１により説明すると、第１の電気錠２Ａには（ＣＯＤＥ１）の応答群コードが設定されており、この第１の電気錠２Ａでの認証を前提として設定された第１ＩＣカード３Ａにも同一の応答群コード（ＣＯＤＥ１）が格納され、第２の電気錠２Ｂ、および第２ＩＣカード３Ｂには、応答群コード（ＣＯＤＥ２）が設定されている。この状態で、第１の電気錠２Ａのリクエストスイッチ１０を押下し、第２ＩＣカード３Ｂをかざしても、第１電気錠２のポーリング応答要求に含まれる応答群コード（ＣＯＤＥ１）が第２ＩＣカード３Ｂに格納された応答群コード（ＣＯＤＥ２）と一致しないために、第２ＩＣカード３Ｂは応答することはない。
【００２４】
図２を再び参照すると、上記予備ＩＤ格納部７には、上記第２の電気錠２Ｂに使用されることを前提に設定され、本第１の電気錠２Ａにおいても使用可能な第２ＩＣカード３Ｂの情報と、予備ＩＤ格納部７内の登録状態を示す登録有無フラグ１２が格納される。この予備ＩＤ格納部７内には、上記ＩＤ格納部８と同様に、共通する応答群コード（ＣＯＤＥx）、およびアドレス（ＡＤＲx）の配下に２次ＩＤコード（ＩＤxy）が格納される。
【００２５】
予備ＩＤ格納部７内の応答群コード（ＣＯＤＥx）は、第２の電気錠２Ｂに設定された応答群コード（ＣＯＤＥx）を、２次ＩＤコード（ＩＤxy）は第２ＩＣカード３Ｂに新たに付与したＩＤコードを、アドレス（ＡＤＲx）は、第２ＩＣカード３Ｂ内の２次ＩＤコード格納アドレスを各々示す。第２図は、（ＣＯＤＥ2）から（ＣＯＤＥr）までの（r-1）個の相互にアクセス不能な錠装置に使用される第２ＩＣカード３Ｂが登録されていることを示す。
【００２６】
上記認証部１は送受信部９ｂにおける第１ＩＣカード３ＡからのＩＤコード（ＩＤ1x）、あるいは、後述するように、第１の電気錠２Ａにおいて認証可能になった第２ＩＣカード３Ｂの２次ＩＤコード（ＩＤxy）の受信を検出すると、受信したＩＤコード（ＩＤ1x）、あるいは２次ＩＤコード（ＩＤxy）と、ＩＤ格納部８、あるいは予備ＩＤ格納部７内に登録されたＩＤコード、あるいは２次ＩＤコードとを比較し、一致すると、認証成立の旨をＣＰＵ９ａに通知する。認証部１での認証が成立を通知されたＣＰＵ９ａは錠制御部９ｄに解錠ドライブ信号をセットして錠９ｆを解錠駆動する。解錠駆動された場合、解錠日時が順次履歴格納部９ｇに格納される。
【００２７】
なお、第２の電気錠２Ｂは、図２から予備ＩＤ格納部７を取り除いた基本構成を有するために、図示は省略するが、ＩＤ格納部８には、第２ＩＣカード３Ｂに記述された応答群コード、ＩＤコード、および第２ＩＣカード３Ｂ内のＩＤコードの格納アドレスが格納される。
【００２８】
一方、第１、第２ＩＣカード３Ａ、３Ｂは、図３に示すように、図外のＲＯＭに格納されたプログラムに従って動作するＣＰＵ１１ｂと、ＣＰＵ１１ｂにより制御される送受信部１１ｃ、送信データ生成部１１ｄに加え、電力生成部１１ａを有する。送受信部１１ｃと電力生成部１１ａにはアンテナ１１ｅが接続され、ＣＰＵ１１ｂ等は、上記第１、２の電気錠２Ａ、２Ｂから発信される電波を電力に変換する電力生成部１１ａから給電されて駆動される。送信データ生成部１１ｄは、電気錠２からの要求に応答したデータを準備し、送受信部１１ｃから出力する。
【００２９】
また、第１、第２ＩＣカード３Ａ、３Ｂには、定義済み領域１３ａと書込可能領域１３ｂとからなるメモリ１３が搭載され、定義済み領域１３ａには、固有ＩＤ、応答群コード、およびＩＤコードが格納される。固有ＩＤはＩＣカード３毎に一意に決定された固有値であり、ＩＣカード３の製造時に付される。ＩＤコードは、第１、あるいは第２の電気錠２Ｂに対する認証コード担持媒体として決定される際に付与されるコードであり、応答群コードは、上述したように、認証対象である第１、または第２の電気錠２ＢにＩＣカード群を関連付けるために設定される。
【００３０】
第１の電気錠２Ａ以外の第２の電気錠２Ｂに使用されていた第２ＩＣカード３Ｂを第１の電気錠２Ａに使用するために、電気錠２システムは、第２ＩＣカード３Ｂの書込可能領域１３ｂに必要な情報を書き込むためのカードリーダ６と、書込内容を第１の電気錠２Ａに転記するための媒体となる中間カード５とを備える。また、この実施の形態において、中間カード５を使用した第１の電気錠２Ａへの書込権限を確認するために、登録用カード１４が用意される。
【００３１】
これら第１ＩＣカード３Ａ、中間カード５、および登録用カード１４の定義済み領域１３ａには、第１の電気錠２Ａが保持している値と同一の応答群コード（図１におけるＣＯＤＥ１）が設定され、第１の電気錠２Ａとの交信が保証される。なお、以下、登録用カード１４、中間カード５と区別する必要がある場合、第１の電気錠２Ａの解錠操作を行う際に使用される第１ＩＣカード３Ａを「ユーザカード」という。また、ユーザカード、登録用カード１４、および中間カード５のＩＤコード（ＩＤ1x）には、これらのカード種類を識別するためのビット列が含まれる。
【００３２】
カードリーダ６は、上記第１、および第２の電気錠２Ａ、２Ｂが使用する応答群コードを伴ったポーリング応答要求を出力可能なＩＣカード３リーダ/ライタであり、中間カード５、および第２ＩＣカード３Ｂの書込可能領域１３ｂへの書込機能と、第２ＩＣカード３Ｂ内の暗号化されていない情報の読み出し機能を有している。
【００３３】
図３（ｂ）に示すように、カードリーダ６による中間カード５への書込は、第２ＩＣカード登録処理であることを示すための処理コードと、第２ＩＣカード３Ｂの応答群コード（ＣＯＤＥ2x）、および２次ＩＤコード（ＩＤxy）の格納アドレス（ＡＤＲx）を書込可能領域１３ｂに書き込んで行われる。また、カードリーダ６による第２ＩＣカード３Ｂへの書き込みは、新たに設定された２次ＩＤコード（ＩＤxy）を書込可能領域１３ｂ（２次ＩＤコード格納領域４）に書き込むことにより行われる。図２において、２次ＩＤコードは第２の電気錠２Ｂ単位に共通のアドレスが付与されていることから解るように、同一の第２の電気錠２Ｂの複数の第２ＩＣカード３Ｂを第１の電気錠２Ａに登録する際には、２次ＩＤコードは、各第２ＩＣカード３Ｂの同一のアドレスに格納される。
【００３４】
また、この実施の形態において、中間カード５は、上述した第２ＩＣカード登録処理に加え、第１の電気錠２Ａの履歴書き出し、第１の電気錠２Ａの時計合わせにも使用され、この場合、中間カード５には、図３（ｃ）に示すように、処理コードに続いて必要なデータ記入され、あるいはデータ格納領域が確保される。
【００３５】
以上のように構成される第１の電気錠２Ａの動作を図４に示す。まず、リクエストスイッチ１０が押下されると（ステップＳ１）、第１ＩＣカード３Ａを対象とするポーリング応答要求、すなわち、応答群コード（ＣＯＤＥ１）を含むポーリング応答要求を送受信部９ｂを経由してアンテナ９ｅから出力し、ポーリング応答を待つ（ステップＳ２）。
【００３６】
第１ＩＣカード３Ａは、ポーリング応答に際し、送信データ生成部９ｃに定義済み領域１３ａ内の固有ＩＤをセットし、送受信部９ｂから送信し、ステップＳ３で第１ＩＣカード３Ａからのポーリング応答を受信した第１の電気錠２Ａは、固有ＩＤによる指名ポーリングを行い、ＩＤ格納部８に収容されているアドレス（ＡＤＲ1）を呼出情報としてＩＤコードを要求する。この要求を受信した第１ＩＣカード３Ａは、要求信号中に含まれるアドレス（ＡＤＲ1）に格納されている値を呼び出して送受信部１１ｃから送信する（ステップＳ４）。
【００３７】
受信したＩＤコードの認証部１における認証が成立しなかった場合（ステップＳ５）、予備ＩＤ格納部７の登録有無フラグ１２を確認し（ステップＳ６）、第２ＩＣカード３Ｂの登録が存在すると、応答群コードを予備ＩＤ格納部７に格納されている値（ＣＯＤＥx）に変更してポーリング応答要求をやり直す（ステップＳ３-Ｓ５）。
【００３８】
第２ＩＣカード３Ｂに対する認証は、上述した第１ＩＣカード３Ａに対するものと同一手順で行われ、認証部１は、第２ＩＣカード３Ｂから出力される２次ＩＤコードと、予備ＩＤ格納部７内の２次ＩＤコードとを比較して行われる。ステップＳ５で認証が成立すると、ポーリングに応答したＩＣカード３が第２ＩＣカード３Ｂである場合には、錠制御部９ｄに解錠信号をセットし、解錠動作を行い（ステップＳ８）、履歴格納部９ｇに記憶する。これに対し、第１ＩＣカード３Ａがポーリング応答した場合には、ＩＤコードからカード種類を特定し（ステップＳ７）、ユーザカードである場合に解錠動作を行う。
【００３９】
以上のステップは、ＩＣカード３に対する認証を目的とした認証モードで運用されており、ステップＳ７でカード種類が登録用カード１４と判定された場合には、モード変更部９ｈを登録モードに変更し、ＩＤ格納部８、あるいは予備ＩＤ格納部７への書き込みを可能にする。
【００４０】
図５に示すように、第１の電気錠２Ａは、登録モードへの変更後、まず、第１ＩＣカード３Ａに対するポーリング応答要求を実行し（ステップＳ９）、所定時間内にポーリング応答があった場合（ステップＳ１０）、ステップＳ４と同様にしてポーリング応答した第１ＩＣカード３ＡのＩＤコードを取得し（ステップＳ１１）、カード種類を特定する（ステップＳ１２）。
【００４１】
ステップＳ１２でカード種類がユーザカードであった場合（ステップＳ１３-１）、すなわち、登録用カードに続いてユーザカードが利用者によって翳された場合、ＩＤ格納部８にＩＤコード（ＩＤ1x）を追加し、以後このＩＣカード３を認証対象カードに加える（ステップＳ１３-２）。
【００４２】
これに対し、ステップＳ１２でカード種類が中間カード５である場合、すなわち、登録用カード１４に続いて中間カード５が利用者によって翳された場合、ステップＳ１３において中間カード５の書込可能領域１３ｂの処理コードが確認され、処理コードが時刻合わせである場合には、時刻セット動作が行われる（ステップＳ１４-１）。時刻セット操作に際し、予めカードリーダ６によって図３（ｂ）の「処理内容」エリアに当該処理実行完了時刻が書き込まれており、ステップＳ１４-１に達すると、第１の電気錠２ＡのＣＰＵ１１ｂは中間カード５から「処理内容」を読み取り、この値で図外の計時部を変更する。
【００４３】
また、ステップＳ１３で処理コードが履歴読出である場合、履歴転記が行われる（ステップＳ１４-２）。履歴転記動作は、第１の電気錠２Ａの履歴格納部９ｂから中間カード５に転記して行われる。
【００４４】
なお、以上においては、サービスメニューとして、時刻セットと履歴転記を示したが、この他に、ＩＤ格納部８への複数のＩＤコードの一括登録、削除、適宜の操作を同様の手段で行わせることができる。
【００４５】
一方、第２ＩＣカード３Ｂ登録は、中間カード５に続いて登録すべき第２ＩＣカード３Ｂを翳すことにより行われ、ＣＰＵ９ａは、上記ステップＳ１３で処理コードが第２ＩＣカード登録と判定すると、まず、中間カード５から応答群コードとアドレスを読み出し（図３（ｃ）参照）、これを予備ＩＤ格納部７に仮に書き込む（ステップＳ１４）。
【００４６】
ステップＳ１４が実行された後、第２ＩＣカード３Ｂに対するポーリング応答要求を出力し（ステップＳ１５）、第２ＩＣカード３Ｂからのポーリング応答があった場合（ステップＳ１６）、第２ＩＣカード３ＢのＩＤコードを受信し（ステップＳ１７）、登録を完了する（ステップＳ１８）。
【００４７】
なお、以上において、予備ＩＤ格納部７への中間カード５の仮登録後、直ちに第２ＩＣカード３Ｂを翳す場合を示したが、仮登録状態を保持したまま他の操作を行い、第２ＩＣカード３Ｂが翳されたタイミングで仮登録を本登録に切り替えるように構成することもできる。
【図面の簡単な説明】
【００４８】
【図１】電気錠システムの構成を示す図である。
【図２】第１の電気錠を示すブロック図である。
【図３】ＩＣカードを示す図で、（ａ）はブロック図、（ｂ）は中間カードへの書き込み状態を示す図、（ｃ）はサービスメニュー実行時の中間カードへの書き込み状態を示す図、（ｄ）は第２ＩＣカードへの書き込み状態を示す図である。
【図４】電気錠の動作を示すフローチャートである。
【図５】電気錠の登録モードにおける動作を示すフローチャートである。
【符号の説明】
【００４９】
１        認証部
２        電気錠
２Ａ      第１の電気錠
２Ｂ      第１の電気錠以外の認証装置
３        ＩＣカード
３Ａ      第１ＩＣカード
３Ｂ      第２ＩＣカード
４        ２次ＩＤコード格納領域
５        中間カード
６        カードリーダ
７        予備ＩＤ格納部
【図１】
2008297755.tif 000003
【図２】
2008297755.tif 000004
【図３】
2008297755.tif 000005
【図４】
2008297755.tif 000006
【図５】
2008297755.tif 000007